(57)【要約】【課題】長期間に亘って遊技球が返し部材に衝突し続けた場合でも、返し部材と対向する障害釘の損傷を効果的に防止することができる上、返し部材に衝突した後の遊技球の落下方向を制限せず、遊技内容をバラエティに富んだものとすることが可能なパチンコ機を提供する。【解決手段】パチンコ機は、発射装置によって打ち込まれた遊技球を遊技領域の上方へ導くためのガイドレール８が遊技盤４に設置されており、そのガイドレール８の先端縁際には、打ち込まれた遊技球をはね返すための返し部材１１が設置されている。また、遊技盤４の返し部材１１の設置位置には、係止ピン１５が突設されている。そして、返し部材１１は、貫設された係止孔１２に、係止ピン１５を挿通させた状態で、揺動自在に遊技盤４に設置されている。【選択図】図３
2009131499.tif 000002
【特許請求の範囲】
【請求項１】
発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、
前記返し部材が、係止孔を貫設したものであるとともに、
前記遊技盤に対して直交するように係止ピンが突設されており、
前記返し部材が、前記係止孔に前記係止ピンを挿通させた状態で揺動自在に遊技盤に設置されていることを特徴とするパチンコ機。
【請求項２】
前記返し部材が、係止孔の下側に係止長孔を貫設したものであるとともに、
前記遊技盤の係止ピンの下側に第二係止ピンが突設されており、
前記返し部材が、前記係止長孔に前記第二係止ピンを遊嵌させた状態で遊技盤に設置されていることを特徴とする請求項１に記載のパチンコ機。
【発明の詳細な説明】
【技術分野】
【０００１】
本発明は、パチンコ機に関するものである。
【背景技術】
【０００２】
通常のパチンコ機は、発射装置によって打ち込まれた遊技球を遊技領域の上方へ導くためのガイドレールが遊技盤に設置されているとともに、そのガイドレールの先端縁際に、強く打ち込まれた遊技球をはね返すための返し部材（返しゴム）が設置されている。また、パチンコ機の中には、所定のタイミングで遊技球を遊技領域の右サイドに強く打ち込むことによって特典が得られるように構成された所謂“右打ち”タイプのパチンコ機がある。かかる右打ちタイプのパチンコ機は、返しゴムに対向する位置に複数の障害釘が並べて設置されており、それらの障害釘によって、返しゴムで跳ね返された遊技球を下方へ落下させることにより、遊技球が遊技領域の左サイドを流下しないように構成されている。
【０００３】
ところが、そのような返しゴムと対向する位置に障害釘を並べて設置した右打ちタイプのパチンコ機においては、長期間に亘って使用すると、返しゴムによって跳ね返された遊技球を受ける障害釘が損傷してしまうことがあった。それゆえ、右打ちタイプのパチンコ機の中には、特許文献１の如く、返しゴムによって跳ね返された遊技球を所定の方向へ誘導するための誘導部材を設置したものもある。
【０００４】
【特許文献１】特開平８−３２２９８８号公報
【発明の開示】
【発明が解決しようとする課題】
【０００５】
しかしながら、上記の如く誘導部材を設置したパチンコ機は、誘導部材を設置するために盤面上に大きなスペースが必要とされる上、誘導部材に衝突した後の遊技球の流下方向が一定のものとなり易いため、遊技内容が限定されてしまう、という不具合がある。
【０００６】
本発明の目的は、上記従来のパチンコ機が有する問題点を解消し、長期間に亘って遊技球が返し部材に衝突し続けた場合でも、返し部材と対向する障害釘の損傷を効果的に防止することができる上、返し部材に衝突した後の遊技球の落下方向を制限せず、遊技内容をバラエティに富んだものとすることが可能なパチンコ機を提供することにある。
【課題を解決するための手段】
【０００７】
本発明の内、請求項１に記載された発明は、発射装置によって打ち込まれた遊技球を遊技領域の上方へ導くためのガイドレールが遊技盤に設置されているとともに、打ち込まれた遊技球をはね返すための返し部材が、前記ガイドレールの先端縁際に設置されたパチンコ機であって、前記返し部材が、係止孔を貫設したものであるとともに、前記遊技盤に対して直交するように係止ピンが突設されており、前記返し部材が、前記係止孔に前記係止ピンを挿通させた状態で揺動自在に遊技盤に設置されていることを特徴とするものである。
【０００８】
請求項２に記載された発明は、請求項１に記載された発明において、前記返し部材が、係止孔の下側に係止長孔を貫設したものであるとともに、前記遊技盤の係止ピンの下側に第二係止ピンが突設されており、前記返し部材が、前記係止長孔に前記第二係止ピンを遊嵌させた状態で遊技盤に設置されていることを特徴とするものである。
【発明の効果】
【０００９】
請求項１に記載のパチンコ機は、打ち込まれた遊技球が衝突した際に返し部材が揺動するため、遊技球による衝撃を効果的に低減することができる。したがって、長期間に亘って使用された場合でも、返し部材と対向した障害釘が損傷したりしない。また、返し部材が揺動することによって遊技球を一定の角度に跳ね返さないため、遊技球の落下方向に変化を与えることができる。したがって、請求項１に記載のパチンコ機によれば、遊技内容をバラエティに富んだものとすることができる。
【００１０】
請求項２に記載のパチンコ機は、返し部材が一旦揺動すると長時間に亘って揺動し続けるため、遊技球による衝撃を非常に効果的に低減することができる上、遊技球の落下方向を効果的に変化させることができる。
【発明を実施するための最良の形態】
【００１１】
以下、本発明のパチンコ機について、図面にしたがって詳細に説明する。図１は、本発明に係るパチンコ機を示したものであり、パチンコ機１は、機枠２の片側縁に、前面枠３が開閉自在に蝶着されており、前面枠３の中央よりやや上側の後方には、遊技盤４が設置されている。図２は、遊技盤４を示したものであり、遊技盤４の表面には、発射装置によって発射された遊技球を遊技盤４の上方まで導くための金属製で帯状のガイドレール８が円弧状に立設されており、当該ガイドレール８によって、略円形の遊技領域１０が区画された状態になっている。そして、ガイドレール８の先端（右側上方の部分）と隣接した位置には、ガイドレール８に沿って右サイドへ跳躍した遊技球をはね返すための返し部材１１が設置されている。
【００１２】
また、図１に示すように、遊技領域１０には、図柄表示装置１９、大入賞口２０、入賞装置２１，２１・・、電飾ランプ、風車等が設置されているとともに、多数の障害釘９，９・・等が植設されている（なお、図２においては、図柄表示装置１９、大入賞口２０、入賞装置２１，２１・・、電飾ランプ、風車、障害釘９，９・・等の記載が省略されている）。一方、前面枠３の下側には、遊技球を発射装置（図示せず）へ供給するための供給皿５が設置されており、その供給皿５の右下方には、発射装置を操作するための発射ハンドル７が突設されている。
【００１３】
図３は、返し部材１１を示したものであり、図４は、返し部材１１の設置部分の鉛直断面（図３におけるＡ−Ａ線断面）を示したものである。返し部材１１は、シリコーンゴムによって、液滴状の鉛直断面（遊技盤４の盤面と平行な鉛直断面）を有する扁平な柱状に形成されており、係止孔１２と係止長孔１３とが、上下に設けられている。
【００１４】
係止孔１２は、直径約３．０ｍｍの円柱状になっており、ゴム本体の表面から裏面へと貫通した状態になっている。そして、当該係止孔１２には、硬質の合成樹脂によって形成された円筒状の滑り部材１４が嵌め込まれている。なお、滑り部材１４は、内径が約２．５ｍｍになっており、外径が約３．０ｍｍになっている。一方、係止長孔１３は、約４．５ｍｍ幅の幅広な円弧状（両端を円弧状に丸くした幅広な円弧状）になっており、係止孔１２と同様に、ゴム本体の表面から裏面へと貫通した状態になっている。また、係止長孔１３の弧の長さは約１０ｍｍになっている。返し部材１１は、上記の如く構成されているため、幅方向の中心線に対して左右が対称であり、厚さ方向の中心線に対して表裏が対称である。
【００１５】
一方、返し部材１１の設置部分においては、遊技盤４の表面に、金属製で直径（軸部分の直径）約２．０ｍｍの２つの係止ピン１５，１６が上下に立設されている。なお、各係止ピン１５，１６の基端には、滑り部材１４の内径よりもわずかに大径のヘッド部が設けられている。そして、返し部材１１は、係止長孔１３内に下側のピン１６を遊嵌し、滑り部材１４内に上側のピン１５を差し込んだ状態で、ガイドレール８の端縁際に回動可能に設置されている。
【００１６】
上記の如く構成されたパチンコ機１においては、発射ハンドル７の回動操作によって発射装置（図示せず）から遊技球が発射され、発射された遊技球が所定の入賞装置２１に入賞した場合に、内部に設置された制御装置において抽選が実行され、抽選の結果、「大当たり」になった場合には、図柄表示装置１９に所定の「大当たり図柄」が表示された後に、右サイドに設置された入賞装置２１に入賞することを条件として、大入賞口２０が所定回数だけ断続的に開成する。したがって、遊技者は、「大当たり」が発生した場合には、発射ハンドル７を大きく回動させて遊技球を強く発射して右サイドの入賞装置２１に入賞させることによって、多くの賞品球を獲得することができる。
【００１７】
そして、そのように遊技者が所謂“右打ち”を実施した場合には、打ち込まれた遊技球が返し部材１１に衝突するが、その際に、返し部材１１は、係止ピン１５を中心に左右に揺動して遊技球による衝撃を効果的に低減する。また、返し部材１１が揺動することによって遊技球を跳ね返す方向を散らすので、対向する（隣接する）障害釘９，９が損傷する、という事態が起こらない。加えて、遊技球の落下方向に変化を与えることができる。
【００１８】
パチンコ機１は、上記の如く、返し部材１１が、係止孔１２を貫設したものであるとともに、遊技盤４に係止ピン１５が突設されており、返し部材１１が、係止孔１２に係止ピン１５を挿通させた状態で揺動自在に遊技盤４に設置されている。したがって、打ち込まれた遊技球が衝突した際に返し部材１１が揺動するので、遊技球による衝撃を効果的に低減することができる。したがって、長期間に亘って使用された場合でも、対向する（隣接する）障害釘９，９が損傷したりしない。また、返し部材１１が揺動することによって遊技球を一定の角度に跳ね返さないため、遊技球の落下方向に変化を与えることができる。したがって、パチンコ機１によれば、遊技内容をバラエティに富んだものとすることができる。
【００１９】
また、パチンコ機１は、返し部材１１が、係止孔１２の下側に係止長孔１３を貫設したものであるとともに、遊技盤４の係止ピン１５の下側に、第二係止ピンとして機能する係止ピン１６が突設されており、返し部材１１が、係止長孔１３に係止ピン１６を遊嵌させた状態で遊技盤４に設置されている。したがって、返し部材１１が一旦揺動すると長時間に亘って揺動し続けるので、遊技球による衝撃を非常に効果的に低減することができる上、遊技球の落下方向を効果的に変化させることができる。
【００２０】
加えて、パチンコ機１は、返し部材１１が幅方向の中心線に対して左右が対称な形状になっているとともに、厚さ方向の中心線に対して表裏が対称な形状になっているため、製造時には、返し部材１１を、表裏を考慮することなく、非常に容易に設置することができる上、長期間の使用によって摩耗した場合には、返し部材１１の表裏を逆にすることによって、再度、新しい返し部材１１と同様な効果を発現させることができる。
【００２１】
なお、本発明のパチンコ機の構成は、上記実施形態の態様に何ら限定されるものではなく、機枠、前面枠、遊技盤、供給皿、発射ハンドル、ガイドレール、返し部材等の形状、構造、材質等の構成を、本発明の趣旨を逸脱しない範囲で適宜変更できる。
【００２２】
たとえば、返し部材は、上記実施形態の如く、合成樹脂によって形成されたものに限定されず、金属によって形成されたものでも良い。また、上記実施形態の如く、係止ピンを挿通させる部分に硬質の合成樹脂製の滑り部材を装着したものに限定されず、係止孔の周面に樹脂をコーティングしたもの等でも良い。
【００２３】
また、返し部材は、上記実施形態の如く、液滴状の鉛直断面を有する扁平な柱状に形成されたものに限定されず、単純な楕円形状のもの等でも良い。加えて、上記実施形態の如く、係止長孔の内部を空洞にしたものに限定されず、弾性を有する樹脂等によって係止長孔の内部を充填したものでも良い。そのように係止長孔の内部を充填する材料としては、ネオプレンスポンジ、スチレンブタジエンスポンジ、シリコーンスポンジ、フッ素ゴムスポンジ、メラミンスポンジ等のスポンジ素材、発砲ウレタン樹脂等の発泡樹脂、あるいは、コットン（綿）、セルロース（植物繊維）等を用いることが可能である。また、それらの材料を組み合わせて用いることも可能である。なお、そのように係止長孔の内部を充填することにより、遊技球が衝突した際の揺動態様を変化させることが可能となる。
【００２４】
一方、返し部材を係着する係止ピンは、上記実施形態の如く、直接的に遊技盤に立設したものに限定されず、返し部材の外面（遊技盤側と反対の面）を覆う遊技部材（コーナー飾り等）を遊技盤に設けるとともに、その遊技部材の遊技盤と対向した内面に、遊技盤面に対して直交するように係止ピンを突設することも可能である。
【００２５】
また、遊技盤は、上記実施形態の如く、返し部材によって跳ね返された遊技球が種々の方向へ流下するように構成されたものに限定されず、図５の如く、返し部材１１の近傍に遊技部材（遊技盤面と直交する外周面を有するもの）が設けられており、跳ね返された遊技球の流下方向が一定となるように構成されたものに変更することも可能である。かかる構成を採用した場合には、右打ちタイプのパチンコ機を設計し易くなる、というメリットがある。
【図面の簡単な説明】
【００２６】
【図１】パチンコ機の正面図である。
【図２】遊技盤を簡略化して示す説明図である。
【図３】返し部材の設置部分を示す説明図である。
【図４】返し部材の鉛直断面（図３におけるＡ−Ａ線断面）を示す説明図である。
【図５】遊技盤の変更例を簡略化して示す説明図である。
【符号の説明】
【００２７】
１・・パチンコ機
４・・遊技盤
７・・発射ハンドル
８・・ガイドレール
９・・障害釘
１０・・遊技領域
１１・・返し部材
１２・・係止孔
１３・・係止長孔
１５・・係止ピン
１６・・係止ピン（第二係止ピン）
【図１】
2009131499.tif 000003
【図２】
2009131499.tif 000004
【図３】
2009131499.tif 000005
【図４】
2009131499.tif 000006
【図５】
2009131499.tif 000007